【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
下記を具備する、無線通信デバイスにおける無線通信の方法:
第１の無線機を介して１次サービングセルと通信することと、前記第１の無線機は、前記無線通信デバイスにある、
ターゲットセルの存在を検出することと、
該ターゲットセルの検出された存在を示す、前記１次サービングセルに、第１のメッセージを送ることと、
２次サービングセルとして該ターゲットセルを追加するために該一次サービングセルからコマンドを受信することと、
前記ターゲットセルへのハンドオーバを可能にするために第２の無線機を介して該ターゲットセル或いは前記１次サービングセルのうちの少なくとも１つと通信することと、前記第２の無線機は、前記無線通信デバイスにある、
前記第１の無線機と前記第２の無線機が同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されず、
前記第２の無線機が、前記ターゲットセル或いは前記１次サービングセルのうちの１つと通信することによって前記ターゲットセルへの前記ハンドオーバを可能にする一方で、前記第１の無線機は、前記１次セルとの通信を維持する
という点において特徴付けられる。
【請求項２】
前記１次サービングセルから第２のメッセージを受信することと、前記第２のメッセージは、前記１次サービングセルと前記ターゲットセルとに関係するチャネル品質情報（ＣＱＩ）を報告することの要求を含む、および
前記ターゲットセルと通信するために前記第２の無線機をアクティブ化することとをさらに備える、請求項１に記載の方法。
【請求項３】
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと
をさらに備える、請求項２に記載の方法。
【請求項４】
前記１次サービングセルまたは前記ターゲットセルのうちの少なくとも１つからハンドオーバコマンドを受信すること
をさらに備える、請求項１に記載の方法。
【請求項５】
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと、
前記１次サービングセルから第３のメッセージを受信することと、前記第３のメッセージは、前記ターゲットセルにサウンディング基準信号（ＳＲＳ）を送ることの要求を含む、
前記ターゲットセルに前記ＳＲＳを送ることと、前記ＳＲＳ、および前記１次サービングセルと前記ターゲットセルとに関係する前記ＣＱＩは、前記ターゲットセルへの前記ハンドオーバを決定するために使用される、
前記１次サービングセルに報告された前記ターゲットセル及び前記１次サービングセルに関係する前記ＣＱＩまたは該ターゲットセルに送られた該ＳＲＳのうちの少なくとも１つに基づいて、前記ターゲットセルまたは前記１次サービングセルのうちの少なくとも１つからハンドオーバコマンドを受信することと
をさらに備える、請求項２に記載の方法。
【請求項６】
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと、
前記ターゲットセルから第３のメッセージを受信することと、前記第３のメッセージは、前記ターゲットセルと前記１次サービングセルに関係する前記ＣＱＩを前記ターゲットセルに報告することの要求を含む、
前記ターゲットセルに、前記１次サービングセルと前記ターゲットセルとに関係する前記ＣＱＩを報告することとをさらに備え、
前記１次サービングセルと前記ターゲットセルとに関係する前記ＣＱＩは、前記ターゲットセルへの前記ハンドオーバを決定するために使用される、
請求項２に記載の方法。
【請求項７】
前記ターゲットセルに報告された前記ターゲットセルと前記一次サービングセルに関係する前記ＣＱＩ、または前記一次サービングセルに報告された前記ターゲットセルおよび前記１次サービングセルに関係する前記ＣＱＩのうちの少なくとも１つに基づいて、前記ターゲットセルまたは前記１次サービングセルのうちの少なくとも１つからハンドオーバコマンドを受信すること、をさらに備える請求項６に記載の方法。
【請求項８】
前記１次サービングセルから第４のメッセージを受信することと、前記第４のメッセージが、前記ターゲットセルにサウンディング基準信号（ＳＲＳ）を送ることの要求を含む、
前記ターゲットセルに前記ＳＲＳを送ることと、前記ＳＲＳが、前記ターゲットセルへの前記ハンドオーバを決定するためにさらに使用される、
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩのうちの少なくとも１つに基づいて、前記ターゲットセルまたは前記１次サービングセルのうちの少なくとも１つからハンドオーバコマンドを受信することと
をさらに備える、請求項６に記載の方法。
【請求項９】
ワイヤレス通信のための装置であって、
第１の無線機を介して１次サービングセルと通信するための手段と、前記第１の無線機は、ワイヤレス通信のための前記装置にある、
ターゲットセルの存在を検出するための手段と、
前記ターゲットセルの前記検出された存在を示す前記１次サービングセルに第１のメッセージを送るための手段と、
２次サービングセルとして前記ターゲットセルを追加するための前記１次サービングセルからのコマンドを受信するための手段と、
前記ターゲットセルへのハンドオーバを可能にするために第２の無線機を介して前記１次サービングセルまたは前記ターゲットセルのうちの少なくとも１つと通信するための手段と、前記第２の無線機は、ワイヤレス通信のための前記装置にある、
を備え、
前記第１の無線機と前記第２の無線機は同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されず、
前記第２の無線機が、前記１次サービングセルまたは前記ターゲットセルのうちの１つと通信することによって前記ターゲットセルへの前記ハンドオーバを可能にする一方で、前記第１の無線機は、前記１次セルとの通信を維持する
という点において特徴付けられる、ワイヤレス通信のための装置。
【請求項１０】
前記１次サービングセルから第２のメッセージを受信するための手段と、前記第２のメッセージは、前記１次サービングセルと前記ターゲットセルとに関係するチャネル品質情報（ＣＱＩ）を報告することの要求を含む、
前記ターゲットセルと通信するために前記第２の無線機をアクティブ化するための手段と、をさらに備える、請求項９に記載の装置。
【請求項１１】
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と
をさらに備える、請求項１０に記載の装置。
【請求項１２】
前記１次サービングセルまたは前記ターゲットセルのうちの少なくとも１つからハンドオーバコマンドを受信するための手段、
をさらに備える、請求項９に記載の装置。
【請求項１３】
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と、
前記１次サービングセルから第３のメッセージを受信するための手段と、前記第３のメッセージは、前記ターゲットセルにサウンディング基準信号（ＳＲＳ）を送ることの要求を含む、
前記ターゲットセルに前記ＳＲＳを送るための手段と、
前記ＳＲＳ、および前記１次サービングセルと前記ターゲットセルとに関係する前記ＣＱＩは、前記ターゲットセルへの前記ハンドオーバを決定するために使用される、
前記ターゲットセルに送られた前記ＳＲＳ、または前記１次サービングセルに報告された前記ターゲットセルと前記１次サービングセルとに関係する前記ＣＱＩのうちの少なくとも１つに基づいて、前記１次サービングセルまたは前記ターゲットセルのうちの少なくとも１つからハンドオーバコマンドを受信するための手段と
をさらに備える、請求項１０に記載の装置。
【請求項１４】
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と、
前記ターゲットセルから第３のメッセージを受信するための手段と、前記第３のメッセージは、前記１次サービングセルと前記ターゲットセルとに関係する前記ＣＱＩを前記ターゲットセルに報告することの要求を含む、
前記ターゲットセルに、前記１次サービングセルと前記ターゲットセルとに関係する前記ＣＱＩを報告するための手段と、前記１次サービングセルと前記ターゲットセルとに関係する前記ＣＱＩは、前記ターゲットセルへの前記ハンドオーバを決定するために使用される、
前記１次サービングセルに報告された前記ターゲットセルと前記１次サービングセルとに関係する前記ＣＱＩ、または前記ターゲットセルに報告された前記１次サービングセルと前記ターゲットセルとに関係する前記ＣＱＩのうちの少なくとも１つに基づいて、前記１次サービングセルまたは前記ターゲットセルのうちの少なくとも１つからハンドオーバコマンドを受信するための手段と、
前記１次サービングセルから第４のメッセージを受信するための手段と、前記第４のメッセージは、前記ターゲットセルにサウンディング基準信号（ＳＲＳ）を送ることの要求を含む、
前記ターゲットセルに前記ＳＲＳを送るための手段と、前記ＳＲＳは、前記ターゲットセルへの前記ハンドオーバを決定するためにさらに使用される、
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩ、のうちの少なくとも１つに基づいて、前記ターゲットセルまたは前記１次サービングセルのうちの少なくとも１つからハンドオーバコマンドを受信するための手段と
をさらに備える、請求項１０に記載の装置。
【請求項１５】
少なくとも１つのコンピュータに、請求項１乃至８のいずれか１項に記載の方法を実施させるためのコードを備える、コンピュータプログラム製品。
【手続補正２】
【補正対象書類名】明細書
【補正対象項目名】０１２９
【補正方法】変更
【補正の内容】
【０１２９】
[00149]以上の説明は、本明細書で説明された様々な態様を当業者が実施できるようにするために与えられた。これらの態様に対する様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつか（some）」という用語は１つまたは複数を指す。「Ａ、Ｂ、またはＣのうちの少なくとも１つ」、「Ａ、Ｂ、およびＣのうちの少なくとも１つ」および「Ａ、Ｂ、Ｃ、またはそれらの任意の組合せ」などの組合せは、Ａ、Ｂ、および／またはＣの任意の組合せを含み、Ａの複数、Ｂの複数、またはＣの複数を含み得る。詳細には、「Ａ、Ｂ、またはＣのうちの少なくとも１つ」、「Ａ、Ｂ、およびＣのうちの少なくとも１つ」および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、いかなるそのような組合せも、Ａ、Ｂ、またはＣのうちの１つまたは複数の部材を含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。いかなるクレーム要素も、その要素が「のための手段」という語句を使用して明確に具陳されていない限り、ミーンズプラスファンクションとして解釈されるべきではない。
以下に、出願当初の特許請求の範囲に記載された発明を付記する。
［Ｃ１］
下記を具備する、無線通信の方法:
第１の無線機を介して１次サービングセルと通信することと、
ターゲットセルの存在を検出することと、
該ターゲットセルの検出された存在を示す、前記１次サービングセルに、第１のメッセージを送ることと、
２次サービングセルとして該ターゲットセルを追加するために該一次サービングセルからコマンドを受信することと、
前記ターゲットセルへのハンドオーバを可能にするために第２の無線機を介して該ターゲットセル或いは前記１次サービングセルのうちの少なくとも１つと通信することと、ここにおいて、
前記第１の無線機と前記第２の無線機が同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない。
［Ｃ２］
前記１次サービングセルから第２のメッセージを受信することと、前記第２のメッセージは、前記１次サービングセルと前記ターゲットセルとに関係するチャネル品質情報（ＣＱＩ）を報告することの要求を含む、および
前記ターゲットセルと通信するために前記第２の無線機をアクティブ化することとをさらに備える、Ｃ１に記載の方法。
［Ｃ３］
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと
をさらに備える、Ｃ２に記載の方法。
［Ｃ４］
前記１次サービングセルまたは前記ターゲットセルのうちの少なくとも１つからハンドオーバコマンドを受信すること
をさらに備える、Ｃ１に記載の方法。
［Ｃ５］
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと、
前記１次サービングセルから第３のメッセージを受信することと、前記第３のメッセージは、前記ターゲットセルにサウンディング基準信号（ＳＲＳ）を送ることの要求を含む、
前記ターゲットセルに前記ＳＲＳを送ることと、
前記ＳＲＳ、および前記１次サービングセルと前記ターゲットセルとに関係する前記ＣＱＩは、前記ターゲットセルへの前記ハンドオーバを決定するために使用される、Ｃ２に記載の方法。
［Ｃ６］
前記１次サービングセルに報告された前記ターゲットセル及び前記１次サービングセルに関係する前記ＣＱＩまたは該ターゲットに送られた該ＳＲＳのうちの少なくとも１つに基づいて、前記ターゲットセルまたは前記１次サービングセルのうちの少なくとも１つからハンドオーバコマンドを受信することをさらに備える、Ｃ５に記載の方法。
［Ｃ７］
前記第２の無線機を介して前記ターゲットセルに関係する前記ＣＱＩを測定することと、
前記１次サービングセルに、前記１次サービングセルと前記ターゲットセルとに関係する前記ＣＱＩを報告することと、
前記ターゲットセルから第３のメッセージを受信することと、前記第３のメッセージは、前記ターゲットセルと前記１次サービングセルに関係する前記ＣＱＩを前記ターゲットセルに報告することの要求を含む、
前記ターゲットセルに、前記１次サービングセルと前記ターゲットセルとに関係する前記ＣＱＩを報告することと、
前記１次サービングセルと前記ターゲットセルとに関係する前記ＣＱＩは、前記ターゲットセルへの前記ハンドオーバを決定するために使用される、
Ｃ２に記載の方法。
［Ｃ８］
前記ターゲットセルに報告された前記ターゲットセルと前記一次サービングセルに関係する前記ＣＱＩ、または前記一次サービングセルに報告された前記ターゲットセルおよび前記１次サービングセルに関係する前記ＣＱＩのうちの少なくとも１つに基づいて、前記ターゲットセルまたは前記１次サービングセルのうちの少なくとも１つからハンドオーバコマンドを受信すること、をさらに備えるＣ７に記載の方法。
［Ｃ９］
前記１次サービングセルから第４のメッセージを受信することと、前記第４のメッセージが、前記ターゲットセルにサウンディング基準信号（ＳＲＳ）を送ることの要求を含む、
前記ターゲットセルに前記ＳＲＳを送ることと、
前記ＳＲＳが、前記ターゲットセルへの前記ハンドオーバを決定するためにさらに使用される、
Ｃ７に記載の方法。
［Ｃ１０］
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩのうちの少なくとも１つに基づいて、前記ターゲットセルまたは前記１次サービングセルのうちの少なくとも１つからハンドオーバコマンドを受信すること、
をさらに備えるＣ９に記載の方法。
［Ｃ１１］
１次サービングセルにおいて第１の無線機を介してユーザ機器（ＵＥ）と通信することと、
ターゲットセルにおいて第２の無線機を介して前記ＵＥと通信することと、
前記１次サービングセルにおいて、前記ターゲットセルの検出された存在を示す前記ＵＥから第１のメッセージを受信することと、
前記ＵＥに、前記１次サービングセルから前記ＵＥに第２のメッセージを送ることと、前記第２のメッセージは、２次サービングセルとして前記ターゲットセルを追加するコマンドを含む、ここにおいて、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信の方法。
［Ｃ１２］
前記１次サービングセルおよび前記ターゲットセルとに関係するチャネル品質情報（ＣＱＩ）を報告することの要求を前記ＵＥに前記一次サービングセルから送ることをさらに備える、Ｃ１１に記載の方法。
［Ｃ１３］
前記１次サービングセルにおいて、前記１次サービングセルと前記ターゲットセルとに関係する前記ＣＱＩを報告する前記ＵＥからの報告を受信することと、および
前記１次サービングセルにおいて、前記受信された報告に基づいて前記ターゲットセルへのハンドオーバを決定することと
をさらに備える、Ｃ１２に記載の方法。
［Ｃ１４］
前記１次サービングセルと前記ターゲットセルとの間でハンドオーバをネゴシエートすることと、および
前記ＵＥへ、前記ハンドオーバをネゴシエートするとき、前記ターゲットセルからハンドオーバコマンドを送ることとをさらに備える、Ｃ１１に記載の方法。
［Ｃ１５］
前記ＵＥに、前記ターゲットセルから送られたハンドオーバコマンドとは別個に前記１次サービングセルから前記ハンドオーバコマンドを送ることをさらに備える、Ｃ１４に記載の方法。
［Ｃ１６］
前記１次サービングセルにおいて、前記１次サービングセルと前記ターゲットセルとに関係する前記ＣＱＩを報告するＵＥからの報告を受信することと、
前記１次サービングセルから前記ＵＥに第３のメッセージを送ることと、前記第３のメッセージは、前記ターゲットセルにサウンディング基準信号（ＳＲＳ）を送ることの要求を含む、
前記ターゲットセルにおいて、前記ＵＥから前記ＳＲＳを受信することと、
前記ターゲットセルにおいて受信された前記ＳＲＳまたは前記ターゲットセルと前記１次サービングセルとに関係する前記ＣＱＩを報告する前記１次サービングセルにおいて受信された前記報告のうちの少なくとも１つに基づいて、前記ターゲットセルへのハンドオーバを決定することとをさらに備える、Ｃ１２に記載の方法。
［Ｃ１７］
前記ターゲットセルにおいて受信された前記SRSまたは前記ターゲットセルおよび前記一次サービングセルに関係する前記CQIを報告する前記一次サービングセルで受信された前記報告の少なくとも1つに基づいて、前記ターゲットまたは前記１次サービングセルのうちの少なくとも１つからハンドオーバコマンドを送ることをさらに備える、Ｃ１６に記載の方法。
［Ｃ１８］
前記１次サービングセルにおいて、前記ターゲットセルおよび前記一次サービングセルに関係する前記ＣＱＩを報告するＵＥからの報告を受信することと、
前記ターゲットセルから前記ＵＥに第３のメッセージを送ることと、前記第３のメッセージは、前記ターゲットセルと前記１次サービングセルとに関係する前記ＣＱＩを前記ターゲットセルに報告することの要求を含む、
前記ターゲットセルにおいて、前記１次サービングセルと前記ターゲットセルとに関係する前記ＣＱＩを報告する前記ＵＥからの前記報告を受信することと、
前記１次サービングセルと前記ターゲットセルとに関係する前記ＣＱＩを報告する前記ターゲットセルにおいて受信された前記報告、または前記１次サービングセルと前記ターゲットセルとに関係する前記ＣＱＩを報告する前記一次サービングセルにおいて受信された前記報告のうちの少なくとも１つに基づいて、前記ターゲットセルへのハンドオーバを決定することとをさらに備える、Ｃ１２に記載の方法。
［Ｃ１９］
前記１次サービングセルと前記ターゲットセルとに関係する前記ＣＱＩを報告する前記ターゲットセルにおいて受信された前記報告、または前記１次サービングセルと前記ターゲットセルとに関係する前記ＣＱＩを報告する前記一次サービングセルにおいて受信された前記報告のうちの少なくとも１つに基づいて、前記ターゲットセルまたは前記ターゲットセルのうちの少なくとも１つからハンドオーバコマンドを送ることをさらに備える、Ｃ１８に記載の方法。
［Ｃ２０］
前記１次サービングセルから前記ＵＥに第４のメッセージを送ることと、前記第４のメッセージは、前記ターゲットセルにサウンディング基準信号（ＳＲＳ）を送ることの要求を含む、
前記ターゲットセルにおいて、前記ＵＥから前記ＳＲＳを受信することと、
前記ターゲットセルにおいて受信された前記ＳＲＳにさらに基づいて前記ターゲットセルへの前記ハンドオーバを決定することとをさらに備える、Ｃ１８に記載の方法。
［Ｃ２１］
前記１次サービングセルと前記ターゲットセルとに関係する前記ＣＱＩを報告する前記１次サービングセルにおいて受信された前記報告、前記１次サービングセルと前記ターゲットセルとに関係する前記ＣＱＩを報告する前記ターゲットセルにおいて受信された前記報告、または前記ターゲットセルにおいて受信された前記ＳＲＳ、のうちの少なくとも１つに基づいて、前記ターゲットセルまたは前記１次サービングセルのうちの少なくとも１つからハンドオーバコマンドを送ることをさらに備える、Ｃ２０に記載の方法。
［Ｃ２２］
１次サービングセルまたは２次サービングセルのうちの少なくとも１つに能力メッセージを送ることと、前記能力メッセージは、同じ周波数上で動作している第１のコンポーネントキャリアと第２のコンポーネントキャリアとを介して通信する能力を示す、
前記第１のコンポーネントキャリアを介して前記１次サービングセルと通信することと、
前記第２のコンポーネントキャリアを介して前記２次サービングセルと通信することと、
前記１次サービングセルと前記２次サービングセルの両方からデータサンプルを受信することと
を備える、ワイヤレス通信の方法。
［Ｃ２３］
前記データサンプルは、前記データサンプルが、前記第１のコンポーネントキャリアと前記第２のコンポーネントキャリアの両方を介して同時に受信することが可能なベースバンド受信機を介して同時に受信されるとき、前記１次サービングセルと前記２次サービングセルの両方から同時に受信される、Ｃ２２に記載の方法。
［Ｃ２４］
前記同じ周波数で動作している前記第１のコンポーネントキャリアと前記第２のコンポーネントキャリアとを介した同時送信を無力にすること、゜
をさらに備える、Ｃ２３に記載の方法。
［Ｃ２５］
前記１次サービングセルおよび前記２次サービングセルと前記通信することは、単一の無線機または複数の無線機を介して実施される、Ｃ２２に記載の方法。
［Ｃ２６］
前記能力メッセージは、ベースバンド受信機が、前記第１のコンポーネントキャリアと前記第２のコンポーネントキャリアの両方を介して同時に受信することができるかどうかを示し、
前記方法は、前記ベースバンド受信機が、前記第１のコンポーネントキャリアと前記第２のコンポーネントキャリアの両方を介して同時に受信することができないとき、および、前記１次サービングセルと前記２次サービングセルとからの前記データサンプルが時分割多重化されるとき、非同時様式で前記１次サービングセルと前記２次サービングセルの両方から前記データサンプルを受信することをさらに備える、Ｃ２２に記載の方法。
［Ｃ２７］
単一の無線機を介して１次サービングセルと通信することと、
ターゲットセルへのハンドオーバを可能にするために前記単一の無線機を介して前記ターゲットセルと通信することと、ここにおいて、
前記１次サービングセルとの前記通信は、前記ターゲットセルとの前記通信と時分割多重化され、
前記１次サービングセルのダウンリンク制御チャネルは、ターゲットセルダウンリンク送信をスケジュールするために使用されず、
前記１次サービングセルに対するアップリンク制御チャネルが、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、ワイヤレス通信の方法。
［Ｃ２８］
第１の無線機を介して１次サービングセルと通信するための手段と、
ターゲットセルの存在を検出するための手段と、
前記ターゲットセルの前記検出された存在を示す前記１次サービングセルに第１のメッセージを送るための手段と、
２次サービングセルとして前記ターゲットセルを追加するための前記１次サービングセルからのコマンドを受信するための手段と、
前記ターゲットセルへのハンドオーバを可能にするために第２の無線機を介して前記１次サービングセルまたは前記ターゲットセルのうちの少なくとも１つと通信するための手段と、ここにおいて、
前記第１の無線機と前記第２の無線機は同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信のための装置。
［Ｃ２９］
前記１次サービングセルから第２のメッセージを受信するための手段と、前記第２のメッセージは、前記１次サービングセルと前記ターゲットセルとに関係するチャネル品質情報（ＣＱＩ）を報告することの要求を含む、
前記ターゲットセルと通信するために前記第２の無線機をアクティブ化するための手段と、をさらに備える、Ｃ３１に記載の装置。
［Ｃ３０］
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と
をさらに備える、Ｃ２９に記載の装置。
［Ｃ３１］
前記１次サービングセルまたは前記ターゲットセルのうちの少なくとも１つからハンドオーバコマンドを受信するための手段、
をさらに備える、Ｃ２８に記載の装置。
［Ｃ３２］
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と、
前記１次サービングセルから第３のメッセージを受信するための手段と、前記第３のメッセージは、前記ターゲットセルにサウンディング基準信号（ＳＲＳ）を送ることの要求を含む、
前記ターゲットセルに前記ＳＲＳを送るための手段と、
前記ＳＲＳ、および前記１次サービングセルと前記ターゲットセルとに関係する前記ＣＱＩは、前記ターゲットセルへの前記ハンドオーバを決定するために使用される、Ｃ２９に記載の装置。
［Ｃ３３］
前記ターゲットセルに送られた前記ＳＲＳ、または前記１次サービングセルに報告された前記ターゲットセルと前記１次サービングセルとに関係する前記ＣＱＩのうちの少なくとも１つに基づいて、前記１次サービングセルまたは前記ターゲットセルのうちの少なくとも１つからハンドオーバコマンドを受信するための手段をさらに備える、Ｃ３２に記載の装置。
［Ｃ３４］
前記第２の無線機を介して前記ターゲットセルに関係する前記ＣＱＩを測定するための手段と、
前記１次サービングセルに、前記１次サービングセルと前記ターゲットセルとに関係する前記ＣＱＩを報告するための手段と、
前記ターゲットセルから第３のメッセージを受信するための手段と、前記第３のメッセージは、前記１次サービングセルと前記ターゲットセルとに関係する前記ＣＱＩを前記ターゲットセルに報告することの要求を含む、
前記ターゲットセルに、前記１次サービングセルと前記ターゲットセルとに関係する前記ＣＱＩを報告するための手段と、
前記１次サービングセルと前記ターゲットセルとに関係する前記ＣＱＩは、前記ターゲットセルへの前記ハンドオーバを決定するために使用される、Ｃ２９に記載の装置。
［Ｃ３５］
前記１次サービングセルに報告された前記ターゲットセルと前記１次サービングセルとに関係する前記ＣＱＩ、または前記ターゲットセルに報告された前記１次サービングセルと前記ターゲットセルとに関係する前記ＣＱＩのうちの少なくとも１つに基づいて、前記１次サービングセルまたは前記ターゲットセルのうちの少なくとも１つからハンドオーバコマンドを受信するための手段、をさらに備える、Ｃ３４に記載の装置。
［Ｃ３６］
前記１次サービングセルから第４のメッセージを受信するための手段と、前記第４のメッセージは、前記ターゲットセルにサウンディング基準信号（ＳＲＳ）を送ることの要求を含む、
前記ターゲットセルに前記ＳＲＳを送るための手段と、
前記ＳＲＳは、前記ターゲットセルへの前記ハンドオーバを決定するためにさらに使用される、
Ｃ３４に記載の装置。
［Ｃ３７］
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩ、のうちの少なくとも１つに基づいて、前記ターゲットセルまたは前記１次サービングセルのうちの少なくとも１つからハンドオーバコマンドを受信するための手段をさらに備える、Ｃ３６に記載の装置。
［Ｃ３８］
１次サービングセルにおいて第１の無線機を介してユーザ機器（ＵＥ）と通信するための手段と、
ターゲットセルにおいて第２の無線機を介して前記ＵＥと通信するための手段と、
前記１次サービングセルにおいて、前記ターゲットセルの検出された存在を示す前記ＵＥからの第１のメッセージを受信するための手段と、
前記１次サービングセルから前記ＵＥに第２のメッセージを送るための手段と、前記第２のメッセージは、２次サービングセルとして前記ターゲットセルを追加するためのコマンドを含む、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
ワイヤレス通信のための装置。
［Ｃ３９］
前記１次サービングセルと前記ターゲットセルとに関係するチャネル品質情報（ＣＱＩ）を報告することの要求を前記一次サービングセルから前記ＵＥに送るための手段をさらに備える、Ｃ３８に記載の装置。
［Ｃ４０］
前記１次サービングセルにおいて、前記１次サービングセルと前記ターゲットセルとに関係する前記ＣＱＩを報告する前記ＵＥからの報告を受信するための手段と、
前記１次サービングセルにおいて、前記受信された報告に基づいて前記ターゲットセルへのハンドオーバを決定するための手段とをさらに備える、Ｃ３９に記載の装置。
［Ｃ４１］
前記１次サービングセルと前記ターゲットセルとの間で前記ハンドオーバをネゴシエートするための手段と、
前記ハンドオーバをネゴシエートするとき、前記ターゲットセルからハンドオーバコマンドを前記ＵＥに送るための手段と
をさらに備える、Ｃ４０に記載の装置。
［Ｃ４２］
前記ターゲットセルから送られたハンドオーバコマンドとは別個に、前記ＵＥに、前記１次サービングセルから前記ハンドオーバコマンドを送るための手段をさらに備える、Ｃ４１に記載の装置。
［Ｃ４３］
前記１次サービングセルにおいて、前記１次サービングセルと前記ターゲットセルとに関係する前記ＣＱＩを報告する前記ＵＥからの報告を受信するための手段と、
前記１次サービングセルから前記ＵＥに第３のメッセージを送るための手段と、前記第３のメッセージは、前記ターゲットセルにサウンディング基準信号（ＳＲＳ）を送ることの要求を含む、
前記ターゲットセルにおいて、前記ＵＥから前記ＳＲＳを受信するための手段と、
前記１次サービングセルと前記ターゲットセルとに関係する前記ＣＱＩを報告する前記１次サービングセルにおいて受信された前記報告、または前記ターゲットセルにおいて受信された前記ＳＲＳのうちの少なくとも１つに基づいて、前記ターゲットセルへのハンドオーバを決定するための手段とをさらに備える、Ｃ３９に記載の装置。
［Ｃ４４］
前記１次サービングセルと前記ターゲットセルとに関係する前記ＣＱＩを報告する前記１次サービングセルにおいて受信された前記報告、または前記ターゲットセルにおいて受信された前記ＳＲＳ、のうちの少なくとも１つに基づいて、前記ターゲットセルまたは前記１次サービングセルのうちの少なくとも１つからハンドオーバコマンドを送るための手段をさらに備える、Ｃ４３に記載の装置。
［Ｃ４５］
前記１次サービングセルにおいて、前記１次サービングセルと前記ターゲットセルとに関係する前記ＣＱＩを報告する前記ＵＥからの報告を受信するための手段と、
前記ターゲットセルから前記ＵＥに第３のメッセージを送るための手段と、前記第３のメッセージは、前記１次サービングセルと前記ターゲットセルとに関係する前記ＣＱＩを報告することの要求を含む、
前記ターゲットセルにおいて、前記１次サービングセルと前記ターゲットセルとに関係する前記ＣＱＩを報告する前記ＵＥからの前記報告を受信するための手段と、
前記１次サービングセルと前記ターゲットセルとに関係する前記ＣＱＩを報告する前記１次サービングセルにおいて受信された前記報告、または前記１次サービングセルと前記ターゲットセルとに関係する前記ＣＱＩを報告する前記ターゲットセルにおいて受信された前記報告、のうちの少なくとも１つに基づいて、前記ターゲットセルへのハンドオーバを決定するための手段と、
をさらに備える、Ｃ３９に記載の装置。
［Ｃ４６］
前記１次サービングセルと前記ターゲットセルとに関係する前記ＣＱＩを報告する前記１次サービングセルにおいて受信された前記報告、または前記１次サービングセルと前記ターゲットセルとに関係する前記ＣＱＩを報告する前記ターゲットセルにおいて受信された前記報告、のうちの少なくとも１つに基づいて、前記１次サービングセルまたは前記ターゲットセルのうちの少なくとも１つからハンドオーバコマンドを送るための手段をさらに備える、Ｃ４５に記載の装置。
［Ｃ４７］
前記１次サービングセルから前記ＵＥに第４のメッセージを送るための手段と、前記第４のメッセージは、前記ターゲットセルにサウンディング基準信号（ＳＲＳ）を送ることの要求を含む、
前記ターゲットセルにおいて、前記ＵＥから前記ＳＲＳを受信するための手段と、
前記ターゲットセルにおいて受信された前記ＳＲＳにさらに基づいて前記ターゲットセルへの前記ハンドオーバを決定するための手段と、
をさらに備える、Ｃ４５に記載の装置。
［Ｃ４８］
前記１次サービングセルと前記ターゲットセルとに関係する前記ＣＱＩを報告する前記１次サービングセルにおいて受信された前記報告、前記１次サービングセルと前記ターゲットセルとに関係する前記ＣＱＩを報告する前記ターゲットセルにおいて受信された前記報告、または前記ターゲットセルにおいて受信された前記ＳＲＳ、のうちの少なくとも１つに基づいて、前記１次サービングセルまたは前記ターゲットセルのうちの少なくとも１つからハンドオーバコマンドを送るための手段、
をさらに備える、Ｃ４７に記載の装置。
［Ｃ４９］
１次サービングセルまたは２次サービングセルのうちの少なくとも１つに能力メッセージを送るための手段と、前記能力メッセージは、同じ周波数で動作している第１のコンポーネントキャリアと第２のコンポーネントキャリアとを介して通信する能力を示す、
前記第１のコンポーネントキャリアを介して前記１次サービングセルと通信するための手段と、
前記第２のコンポーネントキャリアを介して前記２次サービングセルと通信するための手段と、
前記１次サービングセルと前記２次サービングセルの両方からデータサンプルを受信するための手段と、
を備える、ワイヤレス通信のための装置。
［Ｃ５０］
前記データサンプルは、前記データサンプルが、前記第１のコンポーネントキャリアと前記第２のコンポーネントキャリアの両方を介して同時に受信することが可能なベースバンド受信機を介して受信されるとき、前記１次サービングセルと前記２次サービングセルの両方から同時に受信される、Ｃ４９に記載の装置。
［Ｃ５１］
前記同じ周波数で動作している前記第１のコンポーネントキャリアと前記第２のコンポーネントキャリアとを介した同時送信を無力にするための手段、をさらに備える、Ｃ５０に記載の装置。
［Ｃ５２］
前記１次サービングセルおよび前記２次セルと前記通信することは、単一の無線機または複数の無線機を介して実施される、Ｃ４９に記載の装置。
［Ｃ５３］
前記能力メッセージは、ベースバンド受信機が、前記第１のコンポーネントキャリアと前記第２のコンポーネントキャリアの両方を介して同時に受信することができるかどうかを示し、
前記装置は、前記ベースバンド受信機が、前記第１のコンポーネントキャリアと前記第２のコンポーネントキャリアの両方を介して同時に受信することができないとき、および、前記１次サービングセルと前記２次サービングセルとからの前記データサンプルが時分割多重化されるとき、非同時様式で前記１次サービングセルと前記２次サービングセルの両方から前記データサンプルを受信するための手段をさらに備える、
Ｃ４９に記載の装置。
［Ｃ５４］
単一の無線機を介して１次サービングセルと通信するための手段と、
ターゲットセルへのハンドオーバを可能にするために前記単一の無線機を介して前記ターゲットセルと通信するための手段と、ここにおいて、
前記１次サービングセルとの前記通信は、前記ターゲットセルとの前記通信と時分割多重化され、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、ワイヤレス通信のための装置。
［Ｃ５５］
下記を実行するように構成されたプロセッサシステムを備えた無線通信のための装置、
第１の無線機を介して１次サービングセルと通信するように、
ターゲットセルの存在を検出するように、
前記ターゲットセルの検出された存在を示す前記一次サービングセルに第１のメッセージを送るように、
２次サービングセルとして前記ターゲットセルを追加するために前記一次サービングセルからコマンドを受信するように、
前記ターゲットセルへのハンドオーバを可能にするために第２の無線機を介して前記ターゲットまたは前記１次サービングセルのうちの少なくとも１つと通信するように、ここにおいて、
前記第１の無線機と前記第２の無線機が同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない。
［Ｃ５６］
前記処理システムは、
前記１次サービングセルから第２のメッセージを受信することと、前記第２のメッセージは、前記１次サービングセルと前記ターゲットセルとに関係するチャネル品質情報（ＣＱＩ）を報告することの要求を含む、
前記ターゲットセルと通信するために前記第２の無線機をアクティブ化することとを実行するようにさらに構成された、Ｃ５５に記載の装置。
［Ｃ５７］
前記処理システムは、
前記第２の無線機を介して前記ターゲットセルに関係する前記ＣＱＩを測定するように、
前記１次サービングセルに、前記１次サービングセルと前記ターゲットセルとに関係する前記ＣＱＩを報告するように、さらに構成された、Ｃ５６に記載の装置。
［Ｃ５８］
前記処理システムは、
前記１次サービングセルまたは前記ターゲットセルのうちの少なくとも１つからハンドオーバコマンドを受信するためにさらに構成された、Ｃ５５に記載の装置。
［Ｃ５９］
前記処理システムは、さらに下記を実行するように構成されるＣ５６の装置、
前記第２の無線機を介して前記ターゲットセルに関係する前記ＣＱＩを測定するように、
前記１次サービングセルに、前記１次サービングセルと前記ターゲットセルとに関係する前記ＣＱＩを報告するように、
前記１次サービングセルから第３のメッセージを受信するように、前記第３のメッセージは、前記ターゲットセルにサウンディング基準信号（ＳＲＳ）を送ることの要求を含む、および
前記ターゲットセルに前記ＳＲＳを送るように、
前記ＳＲＳ、および前記１次サービングセルと前記ターゲットセルとに関係する前記ＣＱＩは、前記ターゲットセルへの前記ハンドオーバを決定するために使用される。
［Ｃ６０］
前記処理システムは、
前記ターゲットセルに送られた前記ＳＲＳ、または前記１次サービングセルに報告された前記ターゲットセルおよび前記１次サービングセルに関係する前記ＣＱＩのうちの少なくとも１つに基づいて、前記１次サービングセルまたは前記ターゲットセルのうちの少なくとも１つからハンドオーバコマンドを受信するようにさらに構成された、Ｃ５９に記載の装置。
［Ｃ６１］
前記処理システムは、下記を実施するようにさらに構成されるＣ５６に記載の装置、
前記第２の無線機を介して前記ターゲットセルに関係する前記ＣＱＩを測定するように、
前記１次サービングセルに、前記１次サービングセルと前記ターゲットセルとに関係する前記ＣＱＩを報告するように、
前記ターゲットセルから第３のメッセージを受信するように、前記第３のメッセージは、前記ターゲットセルと前記１次サービングセルとに関係する前記ＣＱＩを報告することの要求を含む、
前記ターゲットセルに、前記１次サービングセルと前記ターゲットセルとに関係する前記ＣＱＩを報告するように、
前記１次サービングセルと前記ターゲットセルとに関係する前記ＣＱＩは、前記ターゲットセルへの前記ハンドオーバを決定するために使用される。
［Ｃ６２］
前記処理システムは、さらに下記を実行するように構成されるＣ６１に記載の装置、
前記１次サービングセルに報告された前記ターゲットセルと前記１次サービングセルとに関係する前記ＣＱＩ、または前記ターゲットセルに報告された前記ターゲットセルと前記１次サービングセルとに関係する前記ＣＱＩのうちの少なくとも１つに基づいて、前記１次サービングセルまたは前記ターゲットセルのうちの少なくとも１つからハンドオーバコマンドを受信するためにさらに構成された、Ｃ６１に記載の装置。
［Ｃ６３］
前記処理システムは、さらに下記を実行するように構成されるＣ６１に記載の装置、
前記１次サービングセルから第４のメッセージを受信することと、前記第４のメッセージは、前記ターゲットセルにサウンディング基準信号（ＳＲＳ）を送る要求を含む、
前記ターゲットセルに前記ＳＲＳを送ることと、前記ＳＲＳは、前記ターゲットセルへの前記ハンドオーバを決定するためにさらに使用される。
［Ｃ６４］
前記処理システムは、さらに下記を実行するように構成されるＣ６３に記載の装置、
前記ターゲットセルに送られた前記ＳＲＳ、前記１次サービングセルに報告された前記ターゲットセルと前記１次サービングセルとに関係する前記ＣＱＩ、または前記ターゲットセルに報告された前記ターゲットセルと前記１次サービングセルに関係する前記ＣＱＩ、のうちの少なくとも１つに基づいて、前記ターゲットセルまたは前記１次サービングセルのうちの少なくとも１つからハンドオーバコマンドを受信すること。
［Ｃ６５］
無線通信のための装置、該装置は下記を実施するように構成された処理システムを備える、
１次サービングセルにおいて第１の無線機を介してユーザ機器（ＵＥ）と通信することと、
ターゲットセルにおいて第２の無線機を介して前記ＵＥと通信することと、
前記１次サービングセルにおいて、前記ターゲットセルの検出された存在を示す前記ＵＥからの第１のメッセージを受信することと、および
前記１次サービングセルから前記ＵＥに第２のメッセージを送ることと、前記第２のメッセージは、前記二次サービングセルとして前記ターゲットセルを追加するコマンドを含む、ここにおいて、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない。
［Ｃ６６］
前記処理システムは、前記ターゲットセルと前記一次サービングセルに関係するチャネル品質情報（ＣＱＩ）を報告する要求を前記１次サービングセルから前記ＵＥにを送るようにさらに構成された、Ｃ６５に記載の装置。
［Ｃ６７］
前記処理システムは、
前記１次サービングセルにおいて、前記ターゲットと前記一次サービングに関係した前記ＣＱＩを報告する前記ＵＥからの報告を、受信するように、および
前記１次サービングセルにおいて、前記受信された報告に基づいて前記ターゲットセルへのハンドオーバを決定するように、さらに構成されたＣ６６に記載の装置。
［Ｃ６８］
前記処理システムは、
前記１次サービングセルと前記ターゲットセルとの間で前記ハンドオーバをネゴシエートすることと、
前記ハンドオーバをネゴシエートすると、前記ＵＥに、前記ターゲットセルからハンドオーバコマンドを送ることとを行うためにさらに構成された、Ｃ６７に記載の装置。
［Ｃ６９］
前記処理システムは、前記ターゲットセルから送られたハンドオーバコマンドとは別個に、前記１次サービングセルからの前記ハンドオーバコマンドを前記ＵＥに送るようにさらに構成された、Ｃ６８に記載の装置。
［Ｃ７０］
前記処理システムは、下記を行うようにさらに構成された、Ｃ６６に記載の装置、
前記１次サービングセルにおいて、前記ターゲットセルと前記１次サービングセルに関係する前記ＣＱＩを報告する前記ＵＥからの報告を受信することと、
前記１次サービングセルから前記ＵＥに第３のメッセージを送ることと、前記第３のメッセージは、前記ターゲットセルにサウンディング基準信号（ＳＲＳ）を送ることの要求を含む、
前記ターゲットセルにおいて、前記ＵＥから前記ＳＲＳを受信することと、
前記ターゲットセルにおいて受信された前記ＳＲＳまたは前記ターゲットセルと前記一次サービングセルに関係した前記ＣＱＩを報告する前記一次サービングセルにおいて受信された前記報告の少なくとも1に基づいて前記ターゲットセルへのハンドオーバーを決定することと。
［Ｃ７１］
前記処理システムは、前記ターゲットセルおよび前記１次サービングセルに関係する前記ＣＱＩを報告する前記一次サービングセルにおいて受信された前記報告および前記ターゲットセルにおいて受信された前記ＳＲＳ、の少なくとも一つに基づいて前記ターゲットセルまたは前記一次サービングセルの少なくとも1つからハンドオーバコマンドを送るように、さらに構成されるＣ７０に記載の装置。  
［Ｃ７２］
前記処理システムは、下記を行うようにさらに構成されるＣ６６に記載の装置、
前記一次サービングセルにおいて、前記ターゲットと前記一次サービングセルに関係したＣＱＩを報告する前記ＵＥからの報告を受信することと、
前記ターゲットセルから前記ＵＥに第３のメッセージを送ることと、前記第３のメッセージは、前記ターゲットセルと前記１次サービングセルに関係する前記ＣＱＩを前記ターゲットセルに報告することの要求を含む、
前記ターゲットセルにおいて、前記ターゲットセルと前記１次サービングセルとに関係する前記ＣＱＩを報告する前記ＵＥからの前記報告を受信することと、
前記ターゲットセルと前記１次サービングセルとに関係する前記ＣＱＩを報告する前記ターゲットセルで受信された報告、あるいは前記ターゲットセルおよび前記１次サービングセルとに関係する前記ＣＱＩを報告する前記一次サービングセルで受信された前記報告と、前記ターゲットセルと前記一次サービングセルに関係した前記ＣＱＩを報告する前記ターゲットで受信された前記報告、のうちの少なくとも１つに基づいて前記ターゲットセルへのハンドオーバを決定すること。
［Ｃ７３］
前記処理システムは、
前記ターゲットセルと前記１次サービングセルとに関係する前記ＣＱＩを報告する前記１次サービングセルにおいて受信された前記報告、または前記ターゲットセルと前記１次サービングセルに関係する前記ＣＱＩを報告する前記ターゲットセルにおいて受信された前記報告、のうちの少なくとも１つに基づいて、前記ターゲットセルまたは前記１次サービングセルのうちの少なくとも１つからのハンドオーバコマンドを送るようにさらに構成されたＣ７２に記載の装置。
［Ｃ７４］
前記処理システムは、
前記１次サービングセルから前記ＵＥに第４のメッセージを送ることと、前記第４のメッセージは、前記ターゲットセルにサウンディング基準信号（ＳＲＳ）を送ることの要求を含む、および
前記ターゲットセルにおいて、前記ＵＥから前記ＳＲＳを受信することと、
前記ターゲットセルにおいて受信された前記ＳＲＳにさらに基づいて前記ターゲットセルへの前記ハンドオーバを決定することと
を行うようにさらに構成されたＣ７２に記載の装置。
［Ｃ７５］
前記処理システムは、
前記１次サービングセルと前記ターゲットセルとに関係する前記ＣＱＩを報告する前記１次サービングセルにおいて受信された前記報告、前記ターゲットセルと前記１次サービングセルとに関係する前記ＣＱＩを報告する前記ターゲットセルにおいて受信された前記報告、または前記ターゲットセルにおいて受信された前記ＳＲＳ、のうちの少なくとも１つに基づいて、前記１次サービングセルまたは前記ターゲットセルのうちの少なくとも１つからハンドオーバコマンドを送るようにさらに構成された、Ｃ７４に記載の装置。
［Ｃ７６］
１次サービングセルまたは２次サービングセルのうちの少なくとも１つに能力メッセージを送ることと、前記能力メッセージは、同じ周波数で動作している第１のコンポーネントキャリアと第２のコンポーネントキャリアとを介して通信する能力を示す、
前記第１のコンポーネントキャリアを介して前記１次サービングセルと通信することと、
前記第２のコンポーネントキャリアを介して前記２次サービングセルと通信することと、
前記１次サービングセルと前記２次サービングセルの両方からデータサンプルを受信することと、
を行うように構成された処理システムを備える、ワイヤレス通信のための装置。
［Ｃ７７］
前記データサンプルが前記第１のコンポーネントキャリアと前記第２のコンポーネントキャリアの両方を介して同時に受信することが可能なベースバンド受信機を介して受信されるとき、前記データサンプルは前記１次サービングセルと前記２次サービングセルの両方から同時に受信される、Ｃ７６に記載の装置。
［Ｃ７８］
前記処理システムは、
前記同じ周波数で動作している前記第１のコンポーネントキャリアと前記第２のコンポーネントキャリアとを介した同時送信を無力にするようにさらに構成された、Ｃ７７に記載の装置。
［Ｃ７９］
前記１次サービングセルおよび前記２次サービングセルと前記通信することは、単一の無線機または複数の無線機を介して実施される、Ｃ７６に記載の装置。
［Ｃ８０］
前記能力メッセージは、ベースバンド受信機が、前記第１のコンポーネントキャリアと前記第２のコンポーネントキャリアの両方を介して同時に受信することができるかどうかを示し、
前記処理システムは、前記ベースバンド受信機が、前記第１のコンポーネントキャリアと前記第２のコンポーネントキャリアの両方を介して同時に受信することができないとき、および、前記１次サービングセルと前記２次サービングセルとからの前記データサンプルが時分割多重化されるとき、非同時様式で前記１次サービングセルと前記２次サービングセルの両方から前記データサンプルを受信するようにさらに構成される、Ｃ７５に記載の装置。
［Ｃ８１］
単一の無線機を介して１次サービングセルと通信することと、
ターゲットセルへのハンドオーバを可能にするために前記単一の無線機を介して前記ターゲットセルと通信することと、ここにおいて、
前記１次サービングセルとの前記通信は、前記ターゲットセルとの前記通信と時分割多重化され、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
を実施するように構成された処理を備える、ワイヤレス通信のための装置。
［Ｃ８２］
第１の無線機を介して１次サービングセルと通信することと、
ターゲットセルの存在を検出することと、
前記ターゲットセルの前記検出された存在を示す前記一次サービングセルに第１のメッセージを送ることと、
前記二次サービングセルとして前記ターゲットセルを追加する前記一次サービングセルからのコマンドを受信することと、
前記ターゲットセルへのハンドオーバを可能にするために第２の無線機を介して前記１次サービングセルまたは前記ターゲットセルのうちの少なくとも１つと通信することと、ここにおいて、
前記第１の無線機と前記第２の無線機が同じ周波数で動作し、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
のためのコードを備えるコンピュータ読み出し可能な媒体を備えるコンピュータプログラム製品。
［Ｃ８３］
１次サービングセルにおいて第１の無線機を介してユーザ機器（ＵＥ）と通信することと、
ターゲットセルにおいて第２の無線機を介して前記ＵＥと通信することと、
前記１次サービングセルにおいて、前記ターゲットセルの検出された存在を示す前記ＵＥからの第１のメッセージを受信することと、
前記１次サービングセルから前記ＵＥに第２のメッセージを送ることと、前記第２のメッセージは前記二次サービングセルとして前記ターゲットセルを追加するコマンドを含む、ここにおいて、
前記１次サービングセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
のためのコード備えたコンピュータ読み出し可能な媒体を備えるコンピュータプログラム製品。
［Ｃ８４］
１次サービングセルまたは２次サービングセルのうちの少なくとも１つに能力メッセージを送ることと、前記能力メッセージは、同じ周波数で動作している第１のコンポーネントキャリアと第２のコンポーネントキャリアとを介して通信する能力を示す、
前記第１のコンポーネントキャリアを介して前記１次サービングセルと通信することと、
前記第２のコンポーネントキャリアを介して前記２次サービングセルと通信することと、
前記１次セルと前記２次セルの両方からデータサンプルを受信することと、
のためのコードを備えるコンピュータ可読媒体を備える、コンピュータプログラム製品。
［Ｃ８５］
単一の無線機を介して１次サービングセルと通信することと、
ターゲットセルへのハンドオーバを可能にするために前記単一の無線機を介してターゲットセルと通信することと、ここにおいて、
前記１次サービングセルとの前記通信は、前記ターゲットセルとの前記通信と時分割多重化され、
ソースセルのダウンリンク制御チャネルは、ターゲットセルダウンリンク送信をスケジュールするために使用されず、
前記１次サービングセルに対するアップリンク制御チャネルは、前記ターゲットセルダウンリンク送信のアクノレッジを与えるために使用されず、
前記１次サービングセルに対する前記アップリンク制御チャネルは、前記ターゲットセルダウンリンク送信のためのチャネルサイド情報を与えるために使用されない、
のためのコードを備えるコンピュータ可読媒体を備えたコンピュータプログラム製品。